(57)【要約】【課題】単一の部品を用いてボイスコイルに均衡した力を作用させ、振動系の安定的な動きを確保しつつ、ボイスコイルを正確な位置に位置保持すること。【解決手段】フレーム２と、フレーム２に支持される磁気回路３と、磁気回路３の磁界中に配置され、磁気回路３に対して接離する方向に往復運動するボイスコイル体４と、ボイスコイル体４に発生する動力が伝達される振動板５と、ボイスコイル体４をフレーム２に対して支持する支持体７と、を備えるスピーカ１において、支持体７が、ボイスコイル体４に均衡する力が作用するように、磁気回路３に対して接離する方向に向かうバイアス力をボイスコイル体４に周方向に沿って交互に付与させることを特徴とする。【選択図】図１
2010166364.tif 000002
【特許請求の範囲】
【請求項１】
フレームと、
上記フレームに支持される磁気回路と、
上記磁気回路の磁界中に配置され、上記磁気回路に対して接離する方向に往復運動するボイスコイル体と、
上記ボイスコイル体に発生する動力が伝達される振動板と、
上記ボイスコイル体を上記フレームに対して支持する支持体と、
を備えるスピーカにおいて、
上記支持体が、上記ボイスコイル体に均衡する力が作用するように、上記磁気回路に対して接離する方向に向かうバイアス力を上記ボイスコイル体に周方向に沿って交互に付与させることを特徴とするスピーカ。
【請求項２】
請求項１記載のスピーカにおいて、前記支持体は、周方向に沿って複数に分割された分割片を有しており、互いに隣接する上記分割片がそれぞれ前記磁気回路に対して近づく方向および離れる方向へのバイアス力を前記ボイスコイル体に対して周方向に沿って交互に付与することを特徴とするスピーカ。
【請求項３】
請求項１または２記載のスピーカにおいて、前記磁気回路に対して近づく方向および離れる方向へ付与されるそれぞれのバイアス力の絶対値は同じ大きさであることを特徴とするスピーカ。
【請求項４】
請求項２または３記載のスピーカにおいて、前記分割片は前記支持体において周方向に沿って均等な領域を有するように、複数に分割されていることを特徴とするスピーカ。
【請求項５】
請求項２から４のいずれか１項記載のスピーカにおいて、前記互いに隣接するそれぞれの分割片の間には、径方向内方から径方向外方に向かって切り込みが入れられていることを特徴とするスピーカ。
【請求項６】
スピーカに配設されるボイスコイル体をフレームに対して支持するスピーカ用支持体において、
周方向に沿って複数に分割された分割片を有しており、互いに隣接するそれぞれの上記分割片は径方向外方から径方向内方に向かって異なる傾斜角をもって延出していることを特徴とするスピーカ用支持体。
【請求項７】
請求項６記載のスピーカ用支持体において、前記隣接する分割片のうちの一方は、中心軸線に直交する平面に対する高さ方向のうちの一方側に向かって傾斜し、前記隣接する分割片のうちの他方は、上記一方側と相反する側となる他方側に向かって傾斜していることを特徴とするスピーカ用支持体。
【請求項８】
請求項６または７記載のスピーカ用支持体において、前記隣接する分割片の内周面を、高さ方向において同じ位置となるように撓ませて、同一円周上にそろえた状態で前記ボイスコイル体の外周面に接続させることを特徴とするスピーカ用支持体。
【請求項９】
請求項６から８のいずれか１項記載のスピーカ用支持体において、前記内周面を前記ボイスコイル体の外周面に同一円周上で接続させると、前記隣接する分割片によって同じ大きさのバイアス力が高さ方向に沿って相反する向きに付与されることを特徴とするスピーカ用支持体。
【請求項１０】
請求項６から９のいずれか１項記載のスピーカにおいて、前記分割片は周方向に沿って均等な領域を有するように、複数に分割されていることを特徴とするスピーカ用支持体。
【発明の詳細な説明】
【技術分野】
【０００１】
本発明は、スピーカおよびスピーカ用支持体に関する。
【背景技術】
【０００２】
従来から、ボイスコイルおよび振動板をスピーカの中心に位置保持するために、布にフェノール樹脂等の熱硬化性樹脂や二液反応型硬化性樹脂を含浸させ、コルゲーションとなるように同心円状にプレス成型したダンパを、ボイスコイルとフレームとの間に介在させているスピーカが知られている。
【０００３】
特許文献１には、振動板に接続されるエッジにバイアス力を付与すると共に、ボイスコイルとフレームとの間に介在されるダンパに、エッジに付与されるバイアス力と逆方向のバイアス力を作用させて、ボイスコイルにかかる力の均衡を図っているスピーカが開示されている。また、特許文献２には、エッジおよびダンパにサスペンション部材を採用して、ボイスコイルにかかる力の均衡を図っているスピーカが開示されている。
【先行技術文献】
【特許文献】
【０００４】
【特許文献１】実開平２−１０６７９５号公報（図１）
【特許文献２】実開昭６３−１１１０９１号公報（図５）
【発明の概要】
【発明が解決しようとする課題】
【０００５】
スピーカを構成するエッジおよびダンパが経年変化を起こすと、当該エッジおよびダンパに付与されるバイアス力も経年変化に伴って低下してしまう。ここで、エッジとダンパは一般的に異なる材料によって形成されるため、エッジとダンパにおける経年変化の度合いは異なる。したがって、特許文献１に開示されているスピーカ中のエッジおよびダンパが異なる部材によって形成されている場合、エッジおよびダンパに作用するバイアス力に差異が生じ、ボイスコイルの位置保持精度が低下してしまう。その結果、振幅にひずみが発生し、音響特性が悪化してしまう。また、振幅にひずみが発生すると、スピーカを大入力で使用した場合、非線形が顕著になり、ローリング現象が起き易くなる。
【０００６】
また、特許文献２に開示されているスピーカでは、エッジとダンパにサスペンション部材が採用されている。ここで、エッジを通気性の低い材料で形成すると共に、ダンパを通気性の高い材料で形成した場合に、より高性能のスピーカを得ることができる。このため、エッジおよびダンパを同一の材料で形成する場合、スピーカの性能を維持しつつ、ボイスコイルにかかる力の均衡を図るためには、該エッジおよびダンパの性能を通常より低下させなければならない。一方、エッジおよびダンパが異なる材料で形成されている場合には、特許文献１の場合と同様、エッジおよびダンパの経年変化の度合いの相違により、該エッジおよびダンパに作用するバイアス力に差異が生じてしまう。
【０００７】
さらに、特許文献１および２に開示されているスピーカにおける振動系の特性を、入力と変位との関係でヒステリシスループとして表した場合、図６に示すように、その特性値は、原点０を通過することがなく、プラス側に向かうときと、マイナス側に向かうときとで、変位に差異が生じてしまい、安定な振動特性を得ることができない。
【０００８】
本発明は、かかる問題に鑑みてなされたものであり、その目的とするところは、単一の部品を用いてボイスコイルに均衡した力を作用させ、振動系の安定的な動きを確保しつつ、ボイスコイルを正確な位置に位置保持することが可能なスピーカおよびスピーカ用支持体を提供しようとするものである。
【課題を解決するための手段】
【０００９】
上記課題を解決するために、本発明の一側面は、フレームと、フレームに支持される磁気回路と、磁気回路の磁界中に配置され、磁気回路に対して接離する方向に往復運動するボイスコイル体と、ボイスコイル体に発生する動力が伝達される振動板と、ボイスコイル体をフレームに対して支持する支持体と、を備えるスピーカにおいて、支持体が、ボイスコイル体に均衡する力が作用するように、磁気回路に対して接離する方向に向かうバイアス力をボイスコイル体に周方向に沿って交互に付与させるものである。
【００１０】
また、支持体は、周方向に沿って複数に分割された分割片を有しており、互いに隣接する分割片がそれぞれ磁気回路に対して近づく方向および離れる方向へのバイアス力をボイスコイル体に対して周方向に沿って交互に付与するものとするのが好ましい。
【００１１】
また、磁気回路に対して近づく方向および離れる方向へ付与されるそれぞれのバイアス力の絶対値は同じ大きさであるのが好ましい。
【００１２】
また、分割片は支持体において周方向に沿って均等な領域を有するように、複数に分割するのが好ましい。
【００１３】
また、互いに隣接するそれぞれの分割片の間には、径方向内方から径方向外方に向かって切り込みが入れられているのが好ましい。
【００１４】
また、本発明の一側面は、スピーカに配設されるボイスコイル体をフレームに対して支持するスピーカ用支持体において、周方向に沿って複数に分割された分割片を有しており、互いに隣接するそれぞれの分割片は径方向外方から径方向内方に向かって異なる傾斜角をもって延出しているものである。
【００１５】
また、隣接する分割片のうちの一方は、中心軸線に直交する平面に対する高さ方向のうちの一方側に向かって傾斜し、隣接する分割片のうちの他方は、一方側と相反する側となる他方側に向かって傾斜するのが好ましい。
【００１６】
また、隣接する分割片の内周面を、高さ方向において同じ位置となるように撓ませて、同一円周上にそろえた状態でボイスコイル体の外周面に接続させるのが好ましい。
【００１７】
また、内周面をボイスコイル体の外周面に同一円周上で接続させると、隣接する分割片によって同じ大きさのバイアス力が高さ方向に沿って相反する向きに付与されるものとするのが好ましい。
【００１８】
また、分割片を周方向に沿って均等な領域を有するように、複数に分割するのが好ましい。
【発明の効果】
【００１９】
本発明によると、単一の部品を用いてボイスコイルに均衡した力を作用させ、振動系の安定的な動きを確保しつつ、ボイスコイルを正確な位置に位置保持することが可能となる。
【図面の簡単な説明】
【００２０】
【図１】本発明の一実施の形態に係るスピーカの側断面図である。
【図２】本発明の一実施の形態に係るスピーカ中のボイスコイル体に取り付けられたダンパの構成を示す図であり、ダンパが変形した後の状態を上斜め前方から見た斜視図である。
【図３】本発明の一実施の形態に係るダンパをボイスコイル体に取り付けられる前の状態で上斜め前方から見た斜視図である。
【図４】本実施の形態に係るダンパを用いたスピーカにおける振動板の特性を、入力と変位との関係で表した図である。
【図５】本発明の変形例を示す図であり、本発明の一実施の形態に係るダンパに蝶ダンパを適用させた場合の図である。
【図６】従来のダンパを用いたスピーカにおける振動板の特性を、入力と変位との関係でヒステリシスループとして表した図である。
【発明を実施するための形態】
【００２１】
以下、本発明の一実施の形態に係るスピーカ１について、図面を参照しながら説明する。なお、スピーカ用支持体となるダンパ７の構成についても、スピーカ１と併せて説明する。また、以下の説明において、図１の左方向を「左」、右方向を「右」、上方向を「上」および下方向を「下」とそれぞれ規定する。
【００２２】
図１は、本発明の一実施の形態に係るスピーカ１の側断面図である。
【００２３】
図１に示すように、スピーカ１は、全体の支持部材となるフレーム２と、フレーム２の下方に配置される磁気回路３と、上下方向に振動するボイスコイル体４と、ボイスコイル体４の動作に伴って振動する振動板５と、ボイスコイル体４をフレーム２に支持するためのスピーカ用支持体となるダンパ７と、振動板５をフレームに保持するためのエッジ８とを有する。
【００２４】
フレーム２は、上端が開放した略円錐台形状を為しており、径小となる下方側の径方向中心には開口部が形成されている。また、フレーム２は、その下端部近傍に径方向内方に向かって水平に窄まる下水平部１０を有すると共に、その上端部に径方向外方に向かって水平に開放する上水平部１１を有する。下水平部１０および上水平部１１は全周に亘って形成されている。
【００２５】
磁気回路３は、ヨーク１２と、マグネット１３と、トッププレート１４とから構成されている。ヨーク１２は、非磁性材からなる磁気回路３の基盤部材であり、略有底円柱状をなしている。具体的には、ヨーク１２は、略円柱状の形態を有するセンターガイド部１５と、このセンターガイド部１５の下端部において周方向外側に向かって全周に亘って延出する載置部１６とを有する。載置部１６は、マグネット１３およびトッププレート１４の高さ方向の位置出しを行うために設けられている。
【００２６】
載置部１６には、ドーナツ状のマグネット１３が載置される。このマグネット１３は、センターガイド部１５の外周側に位置するように載置部１６に載置される。また、マグネット１３の上方には磁性材からなるドーナツ状のトッププレート１４が配置される。このトッププレート１４は、マグネット１３と対向する位置に、マグネット１３を載置部１６とで狭持せしめるように配置される。また、センターガイド部１５の外周部とトッププレート１４の内周部との間には所定間隔を有する磁気ギャップ１７が形成されている。また、マグネット１３の外径はトッププレート１４の外径よりもわずかに大径となっている。
【００２７】
磁気ギャップ１７には、略円筒状の形態を有するボイスコイル体４が配置されている。このボイスコイル体４は、円筒状の形態を有するボイスコイルボビン１８と、ボイスコイルボビン１８の外周面に巻回されて接着固定されるボイスコイル２１とを有する。
【００２８】
振動板５は、例えば、コーン紙を素材として形成された円錐台形状を呈しており、該振動板５が振動することによって音が発振される。この振動板５は、その中央が開放されると共に、開放した開口縁部には後方に向かって全周に亘って延出する対向壁５ａが設けられている。そして、この対向壁５ａを、ボイスコイルボビン１８の側壁に接触させ、接着剤を滴下することにより、振動板５の内周部がボイスコイルボビン１８と接着固定される。また、振動板５の外周側は、エッジ８と接着固定されている。エッジ８はリング状の形態を有しており、その断面は弓なりに屈曲した形状を呈している。そして、このエッジ８の外周端がフレーム２の上水平部１１に取付固定されることで、振動板５がフレーム２に支持される構成となる。
【００２９】
また、ボイスコイル体４の上方にはセンターキャップ２２が配置されている。センターキャップ２２は略ドーム状の形態を有しており、ボイスコイルボビン１８を覆うように振動板５の内側に配置されている。このセンターキャップ２２が配置されることにより、ボイスコイル体４や振動板５の内部に塵埃が入り込むのが防止される。
【００３０】
ダンパ７は、同心円状にプレス成形された略リング状の形態を有するコルゲーションダンパであり、ボイスコイル体４とフレーム２との間に全周に亘って介在している。具体的には、ダンパ７の内周部はボイスコイルボビン１８の外周面における上下方向略中央部に固定され、ダンパ７の外周部はフレーム２の下水平部１０に固定されている。
【００３１】
以下、ダンパ７の構成について詳細に説明する。
【００３２】
図２はスピーカ１中のボイスコイル体４に取り付けられたダンパ７の構成を示す図であり、ダンパ７が変形した後の状態を上斜め前方から見た斜視図である。
【００３３】
上述したように、ダンパ７は、上方から見て略リング状の形態を有するコルゲーションダンパであり、ボイスコイル体４とフレーム２との間に介在している。また、ダンパ７は径方向外方から径方向内方に向かうにつれて段差状にやや高さが高くなるような形態を有している。さらに、ダンパ７は、周方向に沿って９０度毎に略円弧状に４分割された４つの分割片２３を有している。この分割片２３は、内周面２４から径方向外方に向かって周方向において９０度間隔おきに切り込み２５を入れることによって形成されている。この切り込み２５はダンパ７の外周部２６近傍まで形成されている。このため、４つの分割片２３は同一の略円弧形状を有していることになる。
【００３４】
ダンパ７の内周面２４は、ボイスコイルボビン２１の外周面であって、中心軸線Ｍに対して直交する平面に、同一円周上にそろえた状態で取り付けられる。ダンパ７の内周面２４は、例えば、ボイスコイルボビン１８の外周面に接着剤を用いて固定される。また、ダンパ７の外周部２６も、例えば、接着剤を用いて下水平部１０に固定される。一方、分割片２３の周方向の両側辺には、接着剤は塗布されない。すなわち、切り込み２５に接着剤は介在されない。
【００３５】
ダンパ７がボイスコイル体４の外周に取り付けられた状態では、ボイスコイル体４には互いに隣接する分割片２３から上方および下方となる相反する方向へのバイアス力が付与される。本実施の形態では、ボイスコイル体４は、図２において左右に対向する２つの分割片２３から上方へ向かうバイアス力が付与され、残りの対向する２つの分割片２３から下方へ向かうバイアス力が付与される。以下、上方に向かってバイアス力を付与する分割片２３を上方分割片２３Ａと表記し、下方に向かってバイアス力を付与する分割片２３を下方分割片２３Ｂと表記する。
【００３６】
ボイスコイル体４には、上方分割片２３Ａおよび下方分割片２３Ｂのそれぞれから、上下方向である相反する方向に同じ大きさのバイアス力が付与される。すなわち、ボイスコイル体４には、１８０度対称位置にある２つの上方分割片２３Ａから上方に向かうバイアス力が付与され、上方へのバイアス力と絶対値が同じ大きさである下方へ向かうバイアス力が１８０度対称位置にある２つの下方分割片２３Ｂから付与される。このため、ボイスコイル体４には分割片２３から均衡したバイアス力が付与されることになり、該ボイスコイル体４は安定した状態で振動し、径方向外方に向かって傾くことがなくなる。
【００３７】
図３は、スピーカ１に取り付けられる前のダンパ７を上斜め前方から見た斜視図である。図４は、本実施の形態に係るダンパ７を用いたスピーカ１における振動板５の特性を、入力と変位との関係で表した図である。図４において、横軸は入力される力［ｍＮ］の大きさを表しており、縦軸は変位［ｍｍ］の大きさを表している。
【００３８】
ダンパ７は、樹脂材料を金型に入れて成形することによって形成される。図３に示すように、上方分割片２３Ａは、中心軸線Ｍに対して直交する平面に対して、径方向外方から中心軸線Ｍ方向に向かって斜め上方に傾くように形成されている。一方、下方分割片２３Ｂは、中心軸線Ｍに対して直交する平面に対して、径方向外方から中心軸線Ｍ方向に向かって斜め下方に傾くように形成されている。
【００３９】
このダンパ７は、上方分割片２３Ａを下方向に撓ませると共に、下方分割片２３Ｂを上方向に撓ませて、内周面２４を中心軸線Ｍに対して直交する平面にて同一円周上にそろえられた状態でボイスコイル体４に取り付けられる。このように、上方分割片２３Ａは下方向に撓められた状態でボイスコイル体４に取り付けられるため、上方分割片２３Ａには元の状態である上方側へ戻ろうとする復元力が作用する。したがって、ボイスコイル体４には上方分割片２３Ａから上方に向かうバイアス力が付与される。一方、下方分割片２３Ｂは上方向に撓められた状態でボイスコイル体４に取り付けられるため、下方分割片２３Ｂには元の状態である下方側へ戻ろうとする復元力が作用する。したがって、ボイスコイル体４には下方分割片２３Ｂから下方に向かうバイアス力が付与される。本実施の形態では、上方分割片２３Ａおよび下方分割片２３Ｂを撓ませる際の下方向および上方向へのそれぞれの変位量は、同じ大きさとするのが好ましい。このように、変位量を同じ大きさとすることで、ボイスコイル体４に、上方分割片２３Ａおよび下方分割片２３Ｂから上下方向である相反する方向に同じ大きさのバイアス力を付与することが可能となる。さらに、各分割片２３における内周面２４の周方向の長さが略同一に形成されると共に、上方分割片２３Ａと下方分割片２３Ｂとが、中心軸線Ｍを挟んで１８０度対称位置に設けられている。したがって、ボイスコイル体４に付与されるバイアス力の均衡を図ることが可能となる。
【００４０】
ダンパ７は、不図示の接着用治具を用いてボイスコイル体４の外周に取り付けられる。具体的には、接着用治具によってダンパ７を上下方向から狭み込んで、内周面２４を同一円周上にそろえる。そして、内周面２４が同一円周上にそろった状態で、該内周面２４に接着剤を塗布し、内周面２４をボイスコイルボビン１８の外周面に接着させて、ボイスコイル体４の外周にダンパ７を装着させる。そして、接着剤が硬化したら接着用治具をダンパ７から取り除く。なお、ダンパ７をボイスコイル体４に取り付ける際には、ダンパ７の外周部２６と下水平部１０との間にも接着剤が介在させられる。
【００４１】
一方、隣接する上方分割片２３Ａと下方分割片２３Ｂの周方向における両側辺には、接着剤は塗布されない。当該部分に接着剤を塗布し、分割片２３同士を接着すると、接着剤の硬化によりダンパ７が通常より硬くなりボイスコイル体４の振動に対して正規の動きがとれなくなるおそれがあるからである。また、ボイスコイルボビン１８の外周面に径方向外方に突出する突出部を設け、当該突出部に分割片２３の内周部分を引っ掛けて、ダンパ７をボイスコイル体４に取り付けるような構成としても良い。
【００４２】
ここで、本実施の形態に係るスピーカ１の振動系の特性を、入力と変位との関係で表すと、図４に示すように、その特性値は、原点０を中心として線形的に変位する。これは、プラス側に変位するときとマイナス側に変位するときの双方の場合において、原点０付近では、均衡のとれたバイアス力が、ダンパ７からボイスコイル体４に付与されるためである。
【００４３】
以上のように構成されたスピーカ１では、ダンパ７によってボイスコイル体４に上下方向である相反する方向へのバイアス力を付与する構成となっている。このため、１つの部品でボイスコイル体４に均衡したバイアス力を付与することが可能となる。したがって、図４に示すように、原点０を通りダンパ７を線形的に変位させることが可能となり、ダンパ７の経時的な歪みを低減させることが可能となる。また、疲労によりダンパの剛性が低下するのを防止でき、振動板５の周波数特性が変動することを防止できる。その結果、スピーカ１の音響特性が悪化するのを防止できる。さらに、スピーカ１を構成する各種部品が経年変化を起こしても、ダンパ７の経年変化の度合いは同じなので、ボイスコイル体４に付与されるバイアス力にバラツキが発生するのを防止できる。したがって、ボイスコイル体４の保持位置が変動するのを防止できる。
【００４４】
また、スピーカ１では、ダンパ７は周方向に沿って９０度毎に４分割され、隣接する上方分割片２３Ａと下方分割片２３Ｂとで上下の相反する方向にバイアス力を付与している。このため、ボイスコイル体４の外周における１８０度対称位置に、上方または下方へ向かうそれぞれ同じ大きさのバイアス力を付与することが可能となる。その結果、ボイスコイル体４に、より均衡したバイアス力を付与することが可能となる。したがって、ボイスコイル体４や振動板５の振動を安定させることが可能となる。
【００４５】
また、スピーカ１では、ボイスコイル体４には均衡したバイアス力が付与される。このため、スピーカ１を大入力で使用した場合、ボイスコイル体４が傾くことがなくなり、ローリング現象が発生するのを防止できる。
【００４６】
また、スピーカ１では、上方分割片２３Ａと下方分割片２３Ｂの間には、接着剤が塗布されていない。このため、ダンパ７は通常の硬さを維持することができ、ダンパ７として正規の機能を果たすことが可能となる。
【００４７】
以上、本発明の一実施の形態について説明したが、本発明は上述の形態に限定されることなく、種々変形した形態にて実施可能である。
【００４８】
上述の実施の形態では、ダンパ７は、周方向に沿って４つの分割片２３に分割されているが、分割数は４つに限定されるものではなく、例えば、８分割、１２分割等の６つ以上の偶数個の領域に分割するようにしても良い。また、本実施の形態では、隣接する分割片２３の間には切り込み２５が形成されているが、隣接する分割片２３の間に切り込み２５の替わりに隙間を形成するようにしても良い。また、当該隙間にクッション剤等の他の部材を介在させるようにしても良い。
【００４９】
また、上述の実施の形態では、ダンパ７をボイスコイル体４に取り付ける際には、上方分割片２３Ａおよび下方分割片２３Ｂをそれぞれ下方向および上方向へ同じ変位量だけ撓ませているが、異なる変位量だけ撓ませような構成としても良い。また、上方分割片２３Ａおよび下方分割片２３Ｂの双方を上方に傾斜させるように成形し、ダンパ７をボイスコイル体４に取り付ける際に、上方分割片２３Ａおよび下方分割片２３Ｂをそれぞれの高さ方向における中間部分に向けて撓ませるような構成としても良い。
【００５０】
また、上述の実施の形態では、ダンパ７に分割片２３を設ける構成としているが、ダンパ７を完全に分割して周方向に沿って複数配置させる構成としても良い。
【００５１】
また、上述の実施の形態では、ダンパ７としてコルゲーションダンパが採用されているが、ダンパの種類はコルゲーションダンパに限定されるものではなく、例えば、図５に示すように、蝶ダンパ３０としても良い。この場合、例えば、蝶ダンパ３０のアーム３１を周方向に沿って９０度毎に設け、このアーム３１を径方向内方に向かって上方に傾斜する上方アーム３１Ａ、径方向内方に向かって下方に傾斜する下方アーム３１Ｂとして周方向に沿って交互に形成するようにすることが可能である。この蝶ダンパ３０は、上方アーム３１Ａを下方に撓ませると共に、下方アーム３１Ｂを上方に撓ませて、アーム３１を同一円周上にそろえた状態でボイスコイル体４の外周に取り付けられる。すると、ボイスコイル体４には、上方アーム３１Ａから上方向のバイアス力が付与されると共に、下方アーム３１Ｂから下方向のバイアス力が付与され、均衡した力が作用することになる。
【符号の説明】
【００５２】
１…スピーカ
２…フレーム
３…磁気回路
４…ボイスコイル体
５…振動板
７…ダンパ（支持体）
２３Ａ…上方分割片（分割片の一部）
２３Ｂ…下方分割片（分割片の一部）
２５…切り込み
【図１】
2010166364.tif 000003
【図２】
2010166364.tif 000004
【図３】
2010166364.tif 000005
【図４】
2010166364.tif 000006
【図５】
2010166364.tif 000007
【図６】
2010166364.tif 000008